(57)【要約】【課題】エンジン試験に際し、エンジン性能をより正確に測定することのできるエンジン試験システムを提供する。【解決手段】エンジンの性能試験が行われる試験室１内には、エンジンを載置するためのエンジン設置台１１が設けられている。また、エンジン設置台の側方に位置するようにして、試験室１外には、エンジンの駆動力を計測するためのダイナモメータ１２が設けられている。そして、エンジンの性能試験に際し、エンジン１３とダイナモメータ１２とが、エンジン１３から試験室１の壁を貫通するようにして延びる動力軸１４を介して接続される。第１の壁２１は、第１開口部２５を有し、かかる第１開口部２５に対応するようにして、孔部２８を有する壁ユニット２７がスライド可能に装備されている。また、前記孔部２８に対応するようにして壁ユニット２７には、挿通孔３３を有するスライドパネル３２がスライド可能に装備されている。【選択図】図１
2006078312.tif 000002
【特許請求の範囲】
【請求項１】
エンジン試験室内に設けられ、エンジンを設置するためのエンジン設置部を１つと、
前記試験室外に設けられ、エンジンに所定の負荷を与えつつエンジンの駆動性能を計測する計測装置をエンジンの両側方に位置するよう備え、
エンジンと前記計測装置とを動力軸を介して接続し、エンジン試験を行うエンジン試験システムであって、
エンジン試験に際し、前記試験室の壁部において前記動力軸を挿通可能な挿通孔を備え、
前記挿通孔を、スライド可能に構成したことを特徴とするエンジン試験システム。
【請求項２】
エンジン試験室内に設けられ、エンジンを設置するためのエンジン設置部と、
前記試験室外に設けられ、エンジンに所定の負荷を与えつつエンジンの駆動性能を計測する計測装置とを備え、
エンジンと前記計測装置とを動力軸を介して接続し、エンジン試験を行うエンジン試験システムであって、
エンジン試験に際し、エンジンから延びる動力軸を試験室外へと挿通させるべく、前記試験室の壁部において開口部を設け、
前記開口部に対応して、前記動力軸を挿通可能な孔部を有するパネル部材をスライド可能に設けたことを特徴とするエンジン試験システム。
【請求項３】
エンジン試験室内に設けられ、エンジンを設置するためのエンジン設置部と、
前記試験室外に設けられ、エンジンに所定の負荷を与えつつエンジンの駆動性能を計測する計測装置とを備え、
エンジンと前記計測装置とを動力軸を介して接続し、エンジン試験を行うエンジン試験システムであって、
エンジン試験に際し、エンジンから延びる動力軸を試験室外へと挿通させるべく、前記試験室の壁部において開口部を設け、
前記開口部に対応して、前記動力軸を挿通可能な孔部を有するパネル部材を、前記動力軸の軸線方向にスライド可能に設けたことを特徴とするエンジン試験システム。
【請求項４】
前記パネル部材は、スライド位置に関わらず、前記孔部以外の部分で前記開口部を常時閉塞するよう構成されていることを特徴とする請求項２又は３に記載のエンジン試験システム。
【請求項５】
前記パネル部材は、前記孔部に対応するようにして、前記動力軸を挿通可能な挿通孔を有する被せパネル部材を備え、
前記被せパネル部材は、前記パネル部材のスライド方向と交差する方向にスライド可能に構成されていることを特徴とする請求項２乃至４のいずれかに記載のエンジン試験システム。
【請求項６】
前記被せパネル部材は、スライド位置に関わらず、前記挿通孔以外の部分で前記孔部を常時閉塞するよう構成されていることを特徴とする請求項５に記載のエンジン試験システム。
【請求項７】
エンジン試験室内に設けられ、エンジンを設置するためのエンジン設置部と、
前記試験室外に設けられ、エンジンに所定の負荷を与えつつエンジンの駆動性能を計測する計測装置とを備え、
エンジンと前記計測装置とを動力軸を介して接続し、エンジン試験を行うエンジン試験システムであって、
エンジン試験に際し、エンジンから延びる動力軸を試験室外へと挿通させるべく、前記試験室の壁部において開口部を設け、
前記開口部に対応して、前記動力軸を挿通可能な貫通孔を有する伸縮部材を設けたことを特徴とするエンジン試験システム。
【請求項８】
前記伸縮部材は、前記開口部の側端に相当する部分から延びるようにして一対設けられ、
少なくとも一方の前記伸縮部材の先端部には切欠き部が設けられ、
エンジン試験に際し、前記一対の伸縮部材同士を取着固定することで、前記切欠き部により前記貫通孔が形成されるよう構成したことを特徴とする請求項７に記載のエンジン試験システム。
【請求項９】
前記伸縮部材は、伸縮状態に関わらず前記貫通孔以外の部分で前記開口部を常時閉塞可能に構成されていることを特徴とする請求項７又は８に記載のエンジン試験システム。
【発明の詳細な説明】
【技術分野】
【０００１】
本発明は、エンジン試験システムに関するものである。
【背景技術】
【０００２】
例えば、自動車エンジンの性能試験は、自動車の使用される様々な温度環境において種々のエンジン性能を確認するべく、所定の温湿度環境に保たれた試験室内において行われる。試験室には、エンジンを設置するためのエンジン設置台等が設けられている。また、エンジンに模擬付加を与えながらエンジンの駆動力を計測するダイナモメータが、エンジンに対して実車のエンジンと車輪との配置関係になるようエンジン設置台の側方に配設されている（例えば、特許文献１参照。）。
【０００３】
一般に、エンジン試験に際しては、エンジン設置台にエンジンが載置されるとともに、当該エンジンから試験室の壁を貫通するようにして延びる動力軸にダイナモメータが接続される。より詳しくは、前記エンジン設置台とダイナモメータとの間の壁には、前記動力軸を挿通可能な挿通孔が設けられており、かかる挿通孔に動力軸が挿通されることで試験室内のエンジンと、試験室外のダイナモメータとが連結される。ダイナモメータが試験室外に設置されるのは、エンジン試験のために設定される試験室内の温湿度環境にダイナモメータが耐えられないおそれがあるため、並びに試験室を小さく構成し、試験室内の温湿度環境を効率的に保つため等の理由からである。
【特許文献１】特開平１０−２７４５９９号公報（図３）
【発明の開示】
【発明が解決しようとする課題】
【０００４】
ところが、従来、前記挿通孔の位置が固定的であるため、様々な形状やサイズのエンジンに対応させて、実車の位置関係に即した位置にダイナモメータを配設することが困難であった。例えば、大型エンジンを設置可能とするよう隔壁間隔を幅広に設定した場合、小型エンジンの性能試験に際し、小型エンジンから延びる動力軸長さが短いため、試験室外に配設されたダイナモメータにまで届かなかった。そこで、やむなく動力軸を延長して（動力軸に接続用の短管等を継ぎ足して）エンジンとダイナモメータとを連結するのであるが、トレッド（輪距）が変わることで動力軸のたわみ特性やねじり特性が変わり、エンジンの動力が正確に伝わらないといった不具合が生じてしまう。すなわち、実車に即した配置関係を構成することができず、エンジンの特性が実車と異なったものとなってしまい、実際のエンジン性能を正確に測ることができないおそれがあった。
【０００５】
本発明は上記事情に鑑みてなされたものであり、エンジン試験に際し、エンジン性能をより正確に測定することのできるエンジン試験システムを提供することを１つの目的としている。
【課題を解決するための手段】
【０００６】
以下、上記目的等を解決するのに適した各手段につき項分けして説明する。なお、必要に応じて対応する手段に特有の作用効果等を付記する。
【０００７】
手段１．エンジン試験室内に設けられ、エンジンを設置するためのエンジン設置部を１つと、
前記試験室外に設けられ、エンジンに所定の負荷を与えつつエンジンの駆動性能を計測する計測装置をエンジンの両側方に位置するよう備え、
エンジンと前記計測装置とを動力軸を介して接続し、エンジン試験を行うエンジン試験システムであって、
エンジン試験に際し、前記試験室の壁部において前記動力軸を挿通可能な挿通孔を備え、
前記挿通孔を、スライド可能に構成したことを特徴とするエンジン試験システム。
【０００８】
上記手段１によれば、挿通孔がスライド可能に構成されている。従って、エンジン形状、サイズが異なったものとなることで、動力軸の取付け位置や角度が変化し、動力軸の挿通位置が変わったとしても、挿通孔をスライドさせることで動力軸を無理なく挿通させることができる。すなわち、動力軸を延長する（動力軸に接続用の短管等を継ぎ足す）等の必要がなくなり、エンジンの動力特性を実車レベルとすることができる。結果として、エンジンの性能を実車と同じくすることで、より正確な（実車レベルに即したエンジン性能の）データを取得することができる。また、動力軸を加工する等の手間を省くことができ、作業性の向上を図ることができる。
【０００９】
また、挿通孔の位置を適宜調整することで、該挿通孔と動力軸の挿通位置との僅かなずれにも対応することができるため、挿通孔を無駄に大きく構成する必要がない。従って、例えば、動力軸を挿通可能とするだけの必要最低限の大きさとし、挿通孔と動力軸との隙間から試験室内の熱等が室外に漏れることを低減させることができ、エンジン試験室内の温度環境の安定化を図ることができる。
【００１０】
なお、「試験室外」とあるのは、エンジンの設置される空間とは隔離された空間といった意味を含むものであり、例えば、試験室に計測装置を配設するための部屋を設けてもよい。また、「前記試験室外に設けられ、エンジンに所定の負荷を与えつつエンジンの駆動性能を計測する計測装置」とあるのを「前記試験室外に設けられた（エンジン）ダイナモメータ」としてもよい。さらに、「エンジンに所定の負荷を与えつつエンジンの駆動性能を計測する計測装置」とあるのを「エンジンに模擬負荷を与える模擬付加装置及びエンジンの駆動性能を計測する計測装置」としてもよい。また、本手段に記載の構成により、エンジン試験システムが構成されているが、同構成によりエンジン試験室を構成し、上記同様の作用効果を奏させることもできる。
【００１１】
さらに、「エンジンと前記計測装置とを動力軸を介して接続し」とあるのは、「エンジンと前記計測装置とを少なくとも動力軸を介して接続し」といった意味を含むものであり、エンジンから延びる動力軸とダイナモメータとを直接接続してもよいし、エンジンから延びる動力軸とダイナモメータとを、前記動力軸の軸線方向と直交するようにして延びる回転軸を介して接続してもよい。また、「計測装置をエンジンの両側方に位置するよう備え」とあるのを「計測装置をエンジンからの動力軸の両側に２つ備え」としてもよい。また、計測装置は、スライド可能に構成されていることとしてもよい。例えば、一側方の前記計測装置は、前記動力軸の軸線方向にスライド可能に設けられ、他側方の前記計測装置は、動力軸の軸線方向と直行する方向にスライド可能に設けられることとしてもよい。かかる構成を採用した場合には、エンジン形状、サイズ（動力軸の挿通位置、長さ）が変わったとしても、計測装置をスライドさせることで動力軸と計測装置とを無理なく接続させることができる。ただし、エンジンの動力軸と計測装置とが、前記動力軸の軸線方向と直交して延びる回転軸を介して接続されるよう構成した場合には、「動力軸の軸線方向」に代えて「回転軸の軸線方向」とする（以下、各手段において同様）。
【００１２】
手段２．エンジン試験室内に設けられ、エンジンを設置するためのエンジン設置部と、
前記試験室外に設けられ、エンジンに所定の負荷を与えつつエンジンの駆動性能を計測する計測装置とを備え、
エンジンと前記計測装置とを動力軸を介して接続し、エンジン試験を行うエンジン試験システムであって、
エンジン試験に際し、エンジンから延びる動力軸を試験室外へと挿通させるべく、前記試験室の壁部において開口部を設け、
前記開口部に対応して、前記動力軸を挿通可能な孔部を有するパネル部材をスライド可能に設けたことを特徴とするエンジン試験システム。
【００１３】
上記手段２によれば、パネル部材をスライドさせることで、上記手段１と同様の効果を奏することができる。
【００１４】
なお、パネル部材を動力軸の軸線方向（エンジンの横幅方向）にスライド可能に構成した場合、エンジンのサイズ（横幅）や動力軸の長さ（トレッド）が異なることで動力軸の挿通位置（動力軸の軸線方向の位置）が変わったとしても、パネル部材をスライドさせることで様々なサイズのエンジンを無理なくエンジン設置部に載置できるとともに、動力軸を孔部に無理なく挿通させることができる。また、パネル部材を動力軸線方向と交差（直交）する方向にスライド可能に構成した場合、エンジンの形状、サイズ、動力軸の取付け位置等が異なることで、動力軸の挿通位置（動力軸の軸線と直行する方向の位置）が変わったとしても、パネル部材をスライドさせることで動力軸を孔部に無理なく挿通させることができる。
【００１５】
また、前記孔部は、前記開口部よりも小さく（幅狭に）構成されていることとしてもよい。その場合には、孔部から試験室内の熱等が試験室外に漏れることを防止することができる。さらに、前記パネル部材は、前記孔部が前記開口部の範囲内に位置するようスライド量が規制されていることとしてもよい。つまり、パネル部材の必要以上のスライドが規制されることで、スライドに関する構成のコンパクト化を図ることができ、結果として、コスト、スライドに必要なスペース等を低減させることができる。加えて、パネル部材を断熱性の高い素材で構成したり、パネル部材の表面に断熱シートなどを取着したり、パネル部材を中空状に構成することで空気層をつくったりして、パネル部材の断熱性能の向上を図るようにしてもよい（以下、各手段において同様）。
【００１６】
手段３．エンジン試験室内に設けられ、エンジンを設置するためのエンジン設置部と、
前記試験室外に設けられ、エンジンに所定の負荷を与えつつエンジンの駆動性能を計測する計測装置とを備え、
エンジンと前記計測装置とを動力軸を介して接続し、エンジン試験を行うエンジン試験システムであって、
エンジン試験に際し、エンジンから延びる動力軸を試験室外へと挿通させるべく、前記試験室の壁部において開口部を設け、
前記開口部に対応して、前記動力軸を挿通可能な孔部を有するパネル部材を、前記動力軸の軸線方向にスライド可能に設けたことを特徴とするエンジン試験システム。
【００１７】
手段３によれば、パネル部材が動力軸線方向（エンジンの横幅方向）にスライドするようになっている。そのため、エンジンのサイズ（横幅）や動力軸の長さ（トレッド）が異なることで動力軸の挿通位置が変わったとしてもパネル部材をスライドさせることで、様々なサイズのエンジンを無理なくエンジン設置部に載置できるとともに、動力軸を挿通孔に無理なく挿通させることができる。つまり、パネル部材をスライドさせることで、上記手段１と同様の効果を奏することができる。
【００１８】
手段４．前記パネル部材は、スライド位置に関わらず、前記孔部以外の部分で前記開口部を常時閉塞するよう構成されていることを特徴とする手段２又は３に記載のエンジン試験システム。
【００１９】
手段４によれば、孔部に対応する部分以外の開口部が閉塞されることで、かかる開口部から試験室内の熱等が室外に漏れるのを防止することができ、エンジン試験室内の温度環境をより安定させることができる。なお、前記開口部を常時閉塞するとあるのは、開口部から試験室内の熱等が室外に漏れるのを防止するといった意味を含むものであり、特に密閉されていなくとも、前記パネル部材は、スライド位置に関わらず、前記孔部以外の部分で前記開口部を常に覆うよう構成されていればよい。
【００２０】
手段５．前記パネル部材は、前記孔部に対応するようにして、前記動力軸を挿通可能な挿通孔を有する被せパネル部材を備え、
前記被せパネル部材は、前記パネル部材のスライド方向と交差する方向にスライド可能に構成されていることを特徴とする手段２乃至４のいずれかに記載のエンジン試験システム。
【００２１】
手段５によれば、被せパネル部材のスライド方向がパネル部材のスライド方向と交差するよう構成されているため、挿通孔を多方向に移動させることができ、より広範囲の動力軸の挿通位置に対応させることができる。また、パネル部材及び被せパネル部材をそれぞれ一方向にスライドさせるといった比較的簡単な構成を採用することができる。
【００２２】
なお、被せパネル部材を水平方向にスライド可能に構成した場合には、動力軸の挿通位置が、水平方向において変わったとしても、被せパネル部材をスライドさせることで動力軸を挿通させることができる。一方、被せパネル部材を鉛直方向にスライド可能に構成した場合には、動力軸の挿通位置が鉛直方向において変わったとしても、被せパネルをスライドさせることで動力軸を挿通させることができる。また、パネル部材を動力軸の軸線方向と交差する方向にスライド可能に構成した場合には、被せパネル部材を動力軸の軸線方向にスライド可能に構成することで上記手段３と同様の効果を奏することができる。
【００２３】
また、前記挿通孔は前記孔部よりも小さく（幅狭に）構成されていることとしてもよい。その場合には、挿通孔から試験室内から試験室外への熱漏れを低減させることができる。さらに、前記被せパネル部材は、前記挿通孔が前記孔部の範囲内に位置するようスライド量が規制されていることとしてもよい。つまり、被せパネル部材の必要以上のスライドが規制されることで、スライドに関する構成（被せパネル部材）のコンパクト化を図ることができ、結果として、コスト、スライドに必要なスペース等を低減させることができる（以下、各手段において同様）。
【００２４】
手段６．前記被せパネル部材は、スライド位置に関わらず、前記挿通孔以外の部分で前記孔部を常時閉塞するよう構成されていることを特徴とする手段５に記載のエンジン試験システム。
【００２５】
手段６によれば、挿通孔に対応する部分以外の孔部が閉塞されることで、かかる孔部から試験室内の熱が室外に漏れるのを防止することができ、エンジン試験室内の温度環境をより安定させることができる。なお、前記孔部を常時閉塞するとあるのは、試験室内の熱等が孔部から室外に漏れるのを防止するといった意味を含むものであり、特に密閉されていなくとも、前記被せパネル部材は、スライド位置に関わらず、前記挿通孔以外の部分で前記孔部を常に覆うよう構成されていればよい。 
【００２６】
手段７．エンジン試験室内に設けられ、エンジンを設置するためのエンジン設置部と、
前記試験室外に設けられ、エンジンに所定の負荷を与えつつエンジンの駆動性能を計測する計測装置とを備え、
エンジンと前記計測装置とを動力軸を介して接続し、エンジン試験を行うエンジン試験システムであって、
エンジン試験に際し、エンジンから延びる動力軸を試験室外へと挿通させるべく、前記試験室の壁部において開口部を設け、
前記開口部に対応して、前記動力軸を挿通可能な貫通孔を有する伸縮部材を設けたことを特徴とするエンジン試験システム。
【００２７】
上記手段７によれば、伸縮部材を伸縮させることで、上記手段１と同様の効果を奏することができる。なお、「伸縮部材」とあるのを「蛇腹状の伸縮部材」としてもよい。また、伸縮部材は、固定的に設けられた又は動力軸の軸線方向と直行する方向にスライド可能に設けられた計測装置の近傍に設けられることが望ましい。
【００２８】
手段８．前記伸縮部材は、前記開口部の側端に相当する部分から延びるようにして一対設けられ、
少なくとも一方の前記伸縮部材の先端部には切欠き部が設けられ、
エンジン試験に際し、前記一対の伸縮部材同士を取着固定することで、前記切欠き部により前記貫通孔が形成されるよう構成したことを特徴とする手段７に記載のエンジン試験システム。
【００２９】
手段８によれば、一対の伸縮部材を伸縮させる（伸ばす）ことで、比較的容易に動力軸を挿通状態とすることができる。一方、一対の伸縮部材の取着状態を解除する（縮める）ことで、動力軸の挿通状態を解除することができる。また、伸縮部材の取着状態が解除されることで、伸縮部材により閉塞されていた空間が開放されるため、広くスペースを利用することができ、エンジン廻りの作業（メンテナンス等）を比較的容易に行うことができる。さらに、試験室内にいる作業者が、伸縮部材の開いた空間から計測装置側へ移動することができるため、計測装置廻りの作業（メンテナンス等）を比較的迅速に行うことができる。
【００３０】
手段９．前記伸縮部材は、伸縮状態に関わらず前記貫通孔以外の部分で前記開口部を常時閉塞可能に構成されていることを特徴とする手段７又は８に記載のエンジン試験システム。
【００３１】
手段９によれば、貫通孔に対応する部分以外の開口部が閉塞されることで、かかる開口部から試験室内の熱が室外に漏れるのを防止することができ、エンジン試験室内の温度環境をより安定させることができる。なお、前記開口部を常時閉塞するとあるのは、試験室内の熱等が開口部から室外に漏れるのを防止するといった意味を含むものであり、特に密閉されていなくとも、前記伸縮部材は、伸縮状態に関わらず、前記貫通孔以外の部分で前記開口部を常に覆うよう構成されていればよい。 
【発明を実施するための最良の形態】
【００３２】
以下に、エンジン試験システムの一実施の形態について図面を参照しつつ説明する。
【００３３】
図１は、試験室１の配置構成を示す平断面図である。同図に示すように、エンジンの性能試験が行われる試験室（エンジン試験室）１は、ドライルーム２内に設けられている。ドライルーム２は、常温低湿状態に環境が保たれており、結露の防止が図られている。かかるドライルーム２内の空気が、試験室１に隣接された図示しない空調機によって温度調整され、試験室１内に送り込まれることで、試験室１内が所定の温湿度環境に保たれている。また、ドライルーム２には隔壁を隔てて、試験室１内の試験結果を計測する計測室３が隣接されている。かかる計測室３とドライルーム２との隔壁には窓部４が設けられており、計測室３からドライルーム２内を視認できるようになっている。加えて、ドライルーム２及び計測室３と隣接するようにして前室５が設けられており、計測室３にいる作業者は、かかる前室５を経由してドライルーム２へ入室可能になっている。
【００３４】
試験室１内には、エンジンを載置するためのエンジン設置台１１が設けられている。エンジン設置台１１は、エンジンを載置した際に、当該エンジンを各所で固定できるよう図示しない留め部材を備えている。また、試験室１の計測室３側（図１の上側）を自動車のフロント側と想定したうえで、エンジンに所定の負荷（模擬付加）を与えつつエンジンの駆動力を計測するためのダイナモメータ１２が、自動車の車輪に対応する位置（ダイナモメータ１２を自動車の車輪と見立てた位置）に設置されている。本実施の形態では、試験室１内の温度によりダイナモメータ１２に悪影響が及ぶのを回避するべく、ダイナモメータ１２が試験室１外に設置されている。加えて、試験室１内には、エンジン設置台１１以外にも、エンジンの各種性能を計測するための図示しない各種計測器等が据え付けられている。また、試験室１の計測室３側の壁にはガラス窓部１６が設けられており、かかるガラス窓部１６を介して前記計測室３の窓部４から試験室１内の様子を視認できるようになっている。なお、本実施の形態では、エンジン設置台１１がエンジン設置部に相当し、ダイナモメータ１２等が計測装置に相当する。
【００３５】
そして、エンジンの性能試験に際し、試験体であるエンジン１３が、前記エンジン設置台１１に載置され、固定される。また、エンジン１３とダイナモメータ１２とが、エンジン１３から延びる動力軸１４を介して連結される。さらに、エンジン１３に、エンジン１３の排気ガスを試験室１外に排出するべく排気管１５が取付けられる。
【００３６】
さて、試験室１のエンジン設置台１１とダイナモメータ１２とを隔離する壁には、動力軸１４を挿通するための開口部が設けられている。以下、かかる開口部を備えた壁に関する構成を、図面を参照しつつ詳細に説明する。なお、エンジン設置台１１とダイナモメータ１２とを隔離する壁は、エンジン設置台１１の両側方に存在するが、便宜上、図１の左側の壁を第１の壁２１、図１の右側の壁を第２の壁４１と称する。
【００３７】
まず、第１の壁２１に関する構成について説明する。なお、図２は、試験室１内から見た後述する壁ユニット２７の正面図である。図３は、壁ユニット２７の構成を示す図２のＡ−Ａ線断面図である。図４は、第１の壁２１と壁ユニット２７との配置関係を示す分解斜視図である。
【００３８】
第１の壁２１は、切欠き部（図１、図４参照）を有し、該切欠き部に対応して、試験室１内方向に没入する第１没入部２２を備えている。かかる第１没入部２２は、切欠き部の両側端縁に相当する部分から試験室１内方向に向かって延びる第１補助壁部２３と、該第１補助壁部２３前端部における開口を覆うようにして設けられる第１内壁部２４（図２、図４参照）とを備えている。第１内壁部２４には、第１開口部２５が形成されている。また、第１補助壁部２３には、略水平に延びる壁スライドレール２６（図３参照）が設けられており、かかる壁スライドレール２６に沿って、第１開口部２５を閉塞する断面コ字状の、パネル部材としての壁ユニット２７がスライド可能に装備されている。図２、図３に示すように、壁ユニット２７は、その略中央部に孔部２８を有している。また、第１没入部２２は、壁ユニット２７の上端部と略同じ高さ位置に、壁ユニット２７の上端部を覆うようにして設けられる上壁部２９を備えている（図４参照）。
【００３９】
壁ユニット２７の試験室１内側（エンジン設置台１１側）の面には、孔部２８を上下に挟むようにして一対のパネルスライドレール３１（図２参照）が設けられており、かかるパネルスライドレール３１に沿って、被せパネル部材としてのスライドパネル３２がスライド可能に装備されている。また、図２、図３に示すように、スライドパネル３２は、その略中央部に動力軸１４を挿通可能な挿通孔３３を有しており、前記スライドパネル３２のスライドは、挿通孔３３が孔部２８内に位置する範囲でのみ許容されるようになっている。詳しくは、図３に示すように、挿通孔３３の中心位置が、Ｊ〜Ｋの範囲内でスライドするようになっている。また、スライドパネル３２は、そのスライド方向において前記孔部２８よりも幅広に構成されており、スライドパネル３２はスライド位置に関わらず、孔部２８を常時閉塞するようになっている。
【００４０】
次に、第２の壁４１に関する構成について説明する。なお、図５は試験室１内から見た後述する蛇腹カーテン４６の正面図である。図６は蛇腹カーテン４６の構成を示す図５のＢ−Ｂ線断面図である。
【００４１】
第２の壁４１は、切欠き部（図１、図４参照）を有し、該切欠き部に対応して、試験室１内方向に没入する第２没入部４２を備えている。かかる第２没入部４２は、切欠き部の両側端縁に相当する部分から試験室１内方向に向かって延びる第２補助壁部４３と、該第２補助壁部４３前端部における開口を覆うようにして設けられる第２内壁部４４とを備えている。かかる第２内壁部４４には、第２開口部４５が形成されている。また、第２補助壁部４３の先端部には、第２開口部４５を開閉可能な一対の、伸縮部材としての蛇腹カーテン４６が装備されている。かかる蛇腹カーテン４６は、その先端縁にマグネットなどの取着手段を備えており、一対の蛇腹カーテン４６は当接状態で取着固定されるよう構成されている。また、図５に示すように、蛇腹カーテン４６の各先端縁には、対向するようにして半円形状の切欠きが形成されており、取着状態において、切欠き部が合わさることで動力軸１４を挿通可能な略円形状の貫通孔４７が形成されるようになっている。なお、少なくとも一方の蛇腹カーテン４６は、その取着状態においても、その伸縮方向において延びきらないよう構成されており、そのため、取着状態においても伸縮可能になっている。
【００４２】
ここで、エンジンとダイナモメータ１２との連結作業について説明する。
【００４３】
まず、壁ユニット２７をエンジン設置台１１に載置されるエンジンのサイズに対応させるだけの幅となるよう、壁ユニット２７をスライドさせるとともに、蛇腹カーテン４６を開状態としておく。続いて、動力軸１４とダイナモメータ１２との取付状態における動力軸１４の第１の壁２１への挿通位置を想定する。それから、動力軸１４の挿通位置に挿通孔３３を対応させる（左右位置を合わせる）べく、スライドパネル３２をスライドさせる。そして、壁ユニット２７を試験室１内方向へスライドさせることで、第１開口部２５、孔部２８、及び挿通孔３３に一方の動力軸１４を挿通させ、かかる動力軸１４に対して、ダイナモメータ１２を取付ける。また、切欠き部で動力軸１４を挟み込むようにして蛇腹カーテン４６を閉状態とし、貫通孔４７に挿通された他方の動力軸に対してダイナモメータ１２を取り付け、エンジンとダイナモメータ１２との連結作業を終了する。
【００４４】
以上詳述したように、本実施の形態では、壁ユニット２７をスライドさせることで孔部２８が動力軸１４の軸線方向にスライドする。そのため、エンジンのサイズ（横幅）や動力軸の長さ（トレッド）が異なることで動力軸１４の挿通位置（動力軸１４の軸線方向の位置）が変わったとしても、壁ユニット２７をスライドさせることで様々なサイズのエンジンを無理なくエンジン設置部１１に載置できるとともに、動力軸１４を孔部２８に無理なく挿通させることができる。併せて、スライドパネル３２をスライドさせることで挿通孔３３が動力軸１４の軸線と直交する方向にスライドする。そのため、動力軸１４の挿通位置が、水平方向において変わったとしても、スライドパネル３２をスライドさせることで動力軸１４を挿通孔３３に無理なく挿通させることができる。すなわち、エンジン形状、サイズが異なったものとなることで、動力軸１４の取付け位置や角度が変化し、動力軸１４の挿通位置が変わったとしても、壁ユニット２７及びスライドパネル３２をスライドさせることで動力軸１４を無理なく挿通させることができる。そのため、動力軸１４を延長する（動力軸１４に接続用の短管等を継ぎ足す）等の必要がなくなり、エンジンの動力特性を実車レベルとすることができる。結果として、エンジンの性能を実車と同じくすることで、より正確な（実車レベルに即したエンジン性能の）データを取得することができる。また、動力軸１４を加工する等の手間を省くことができ、作業性の向上を図ることができる。
【００４５】
加えて、壁ユニット２７は、壁スライドレール２６に沿って動力軸１４の軸線方向にスライドし、スライドパネル３２は、パネルスライドレール３１に沿って動力軸１４の軸線と直交する方向にスライドする。つまり、スライドパネル３２のスライド方向が壁ユニット２７のスライド方向と交差するよう構成されているため、挿通孔３３を多方向に移動させることができ、より広範囲の動力軸１４の挿通位置に対応させることができる。また、壁ユニット２７及びスライドパネル３２をそれぞれ一方向にスライドさせるといった比較的簡単な構成を採用することができる。
【００４６】
また、壁ユニット２７及びスライドパネル３２を適宜スライドさせて調整することで、挿通孔３３と動力軸１４の挿通位置との僅かなずれにも対応することができるため、挿通孔３３を無駄に大きく構成する必要がない。従って、挿通孔３３と動力軸１４との隙間から試験室１内の熱等が室外に漏れることを低減させることができ、試験室１内の温度環境の安定化を図ることができる。
【００４７】
さらに、壁ユニット２７は孔部２８に対応する部分以外の第１開口部２５を覆うよう構成されており、かかる第１開口部２５から試験室１内の熱等が室外に漏れるのを防止することができ、試験室１内の温度環境をより安定させることができる。併せて、スライドパネル３２は、スライド位置に関わらず、挿通孔３３以外の部分で孔部２８を常時閉塞するよう構成されている。従って、孔部２８から試験室１内の熱等が試験室１外に漏れるのをより確実に防止することができ、試験室１内の温度環境をより安定させることができる。
【００４８】
さらに、孔部２８は、第１開口部２５よりも小さく（幅狭に）構成され、挿通孔３３は孔部２８よりも小さく構成されている。そのため、孔部２８及び挿通孔３３から試験室１内の熱等が試験室外に漏れるのを防止することができる。
【００４９】
併せて、スライドパネル３２は挿通孔３３が孔部２８の範囲内に位置するようスライド量が規制されている。つまり、スライドパネル３２の必要以上のスライドが規制されることで、スライドに関する構成のコンパクト化を図ることができ、結果として、コスト、スライドに必要なスペース等を低減させることができる。
【００５０】
また、本実施の形態では、第２開口部４５に対応して、取着状態においても伸縮可能な貫通孔４７を備えた蛇腹カーテン４６が設けられており、蛇腹カーテン４６を伸縮させることで、貫通孔４７位置を動力軸１４の軸線と直交する方向に移動させることができる。そのため、動力軸１４の挿通位置が、水平方向において変わったとしても、蛇腹カーテン４６を伸縮させることで動力軸１４を貫通孔４７に無理なく挿通させることができる。加えて、蛇腹カーテン４６は閉状態においても伸縮可能になっているため、第２開口部４５から試験室１内の熱が試験室１外に漏れるのを防止することができ、試験室１内の温度環境をより安定させることができる。
【００５１】
また、一対で設けられた蛇腹カーテン４６は、その先端部に各々切欠き部を有し、取着状態において切欠き部が合わさることで貫通孔４７が形成されるよう構成されている。そのため、一対の蛇腹カーテン４６を伸縮させる（伸ばす）ことで、既にエンジン設置段１１に載置されたエンジンから延びる動力軸１４を、比較的容易に挿通状態とすることができる。一方、一対の伸縮部材の取着状態を解除する（縮める）ことで、貫通孔４７が形成されない状態となり、動力軸１４の挿通状態を解除することができる。また、蛇腹カーテン４６の取着状態が解除されることで、蛇腹カーテン４６により閉塞されていた空間が開放されるため、広くスペースを利用することができ、エンジン廻りの作業（メンテナンス等）を比較的容易に行うことができる。さらに、試験室１内にいる作業者が、蛇腹カーテン４６の開いた空間からダイナモメータ１２側へ移動することができるため、ダイナモメータ１２廻りの作業（メンテナンス等）を比較的迅速に行うことができる。
【００５２】
尚、上記実施の形態の記載内容に限定されず、例えば次のように実施してもよい。
【００５３】
（ａ）上記実施の形態では、ダイナモメータ１２が試験室１外に設置されているが、特にかかる配置構成に限定されるものではなく、ダイナモメータ１２がエンジンの設置される空間から隔離された場所に設置されればよい。例えば、試験室１内にダイナモメータ１２を設置するための部屋を設け、かかる部屋をエンジンの設置される空間から隔離するよう構成してもよい。
【００５４】
（ｂ）上記実施の形態では、第１開口部２５に対応して壁ユニット２７が設けられ、第２開口部４５に対応して蛇腹カーテン４６が設けられていたが、両開口部２５，４５に壁ユニット２７又は蛇腹カーテン４６のどちらか一方を設けるよう構成してもよい。
【００５５】
（ｃ）上記実施の形態では、スライドパネル３２が水平方向にスライドするよう構成されていたが、特にかかる構成に限定されるものではなく、例えば上下方向にスライドするよう構成してもよい。
【００５６】
（ｄ）上記実施の形態では、第１開口部２５に対応して壁ユニット２７が動力軸１４の軸線方向にスライドするよう構成されていたが特にかかる構成に限定されるものではない。例えば、第１開口部２５に対応して孔部を有するパネルを動力軸１４の軸線方向と交差（直交）する方向にスライド可能に設けてもよい。その場合、スライドパネル３２を動力軸１４の軸線方向にスライドするよう装備させ、上記例の効果と同様の効果を奏するよう構成してもよい。
【００５７】
（ｅ）上記実施の形態における、第１パネル３１及び第２パネル４１を断熱性の高い素材で構成したり、第１パネル３１及び第２パネル４１の表面に断熱シートなどを取着したり、第１パネル３１及び第２パネル４１を中空状に構成することで空気層をつくったりして、第１パネル３１及び第２パネル４１の断熱性能の向上を図るようにしてもよい。
【００５８】
（ｆ）上記実施の形態では、図１に示すように、エンジン１３から延びる動力軸１４の両側端部とダイナモメータ１２とが接続されるよう構成されていたが、特にかかる構成に限定させるものではなく、エンジンから延びる動力軸とダイナモメータとが、動力軸の軸線方向と直交するようにして延びる回転軸を介して接続されていることとしてもよい。その場合、例えば、フロントエンジンの後輪駆動車（ＦＲ車）にも対応させることができる。また、２つのダイナモメータ１２がエンジン１３に動力軸１４を介して接続されるよう構成されていたが、特にかかる構成に限定されるものではなく、前記構成を採用して、例えば４つのダイナモメータと接続するよう構成してもよい。
【図面の簡単な説明】
【００５９】
【図１】試験室の配置構成を示す平断面図である。
【図２】試験室内から見た壁ユニットの正面図である。
【図３】壁ユニットの構成を示す図２のＡ−Ａ線断面図である。
【図４】第１の壁と壁ユニットとの配置関係を示す分解斜視図である。
【図５】試験室内から見た蛇腹カーテンの正面図である。
【図６】蛇腹カーテンの構成を示す図５のＢ−Ｂ線断面図である。
【符号の説明】
【００６０】
１…エンジン試験室としての試験室、１１…エンジン設置部としてのエンジン設置台、１２…計測装置としてのダイナモメータ、１３…エンジン、１４…動力軸、２５…第１開口部、２７…パネル部材としての壁ユニット、２８…孔部、３２…被せパネル部材としてのスライドパネル、３３…挿通孔、４５…第２開口部、４６…伸縮部材としての蛇腹カーテン、４７…貫通孔。
【図１】
2006078312.tif 000003
【図２】
2006078312.tif 000004
【図３】
2006078312.tif 000005
【図４】
2006078312.tif 000006
【図５】
2006078312.tif 000007
【図６】
2006078312.tif 000008